(57)【要約】【課題】この発明は、多画面表示を行なった場合に、各画面のコントラスト感および黒の階調表現を良好にできる多画面表示装置を提供することを目的とする。【解決手段】プラズマディスプレイに複数の入力映像を多画面表示する多画面表示装置において、各入力映像の平均レベルを別々に算出するための複数の平均レベル算出手段、各入力映像毎に、対応する平均レベル算出手段によって算出された平均レベルに基づいて、別々に逆γ補正を行なうための複数の逆γ補正手段、ならびに各逆γ補正手段によって得られた各映像を合成する合成手段を備えている。【選択図】　図７
2004061862.tif 000002
【特許請求の範囲】
【請求項１】
プラズマディスプレイに複数の入力映像を多画面表示する多画面表示装置において、
各入力映像の平均レベルを別々に算出するための複数の平均レベル算出手段、
各入力映像毎に、対応する平均レベル算出手段によって算出された平均レベルに基づいて、別々に逆γ補正を行なうための複数の逆γ補正手段、ならびに
各逆γ補正手段によって得られた各映像を合成する合成手段、
を備えていることを特徴とする多画面表示装置。
【発明の詳細な説明】
【０００１】
【発明の属する技術分野】
この発明は、プラズマディスプレイに複数の入力映像を多画面表示する多画面表示装置に関する。
【０００２】
【従来の技術】
複数の入力映像を１つのプラズマディスプレイ表示装置で多画面表示する場合、図１に示すように、各入力映像の映像信号（Ａ／Ｄ変換後のＲＧＢ信号）毎に、フレームレート変換・解像度変換回路１ａ、１ｂ、…１ｎによって、フレームレート変換および解像度変換が行なわれた後に、画面合成回路２によって各映像が合成される。画面合成回路２によって得られた合成映像は逆γ補正回路３に送られるとともに平均レベル算出回路４に送られる。
【０００３】
平均レベル算出回路４では、合成映像の平均レベルが算出される。逆γ補正回路３では、平均レベル算出回路４で算出された平均レベルに応じた逆γ特性を用いて、逆γ補正が行なわれる。逆γ補正回路３によって逆γ補正が行なわれた映像はプラズマディスプレイ５に送られて、表示される。
【０００４】
このように、従来のプラズマディスプレイ表示装置で多画面表示を行なう場合には、各入力映像を合成した後に、合成映像に対して逆γ補正が行なわれている。
【０００５】
逆γ補正回路３の入出力特性（逆γ特性）について説明する。
【０００６】
図２は、入力信号のレベルと表示輝度の関係を示している。表示輝度は、逆γ補正回路３の出力信号のレベルとほぼ比例するため、図２の縦軸の表示輝度を、逆γ補正回路３の出力信号のレベルと置き換えたものが、逆γ補正回路３の入出力特性となる。そして、γ（逆γ値）は、逆γ補正回路３の入出力特性を選択するためのパラメータである。
【０００７】
逆γ値が小さいほど、入力信号レベルの低い部分での入力信号レベルに対する出力信号レベルの変化率が高くなるように入出力特性が設定されている。つまり、入力信号の平均レベルが低い場合には、逆γ値を小さくした方が、レベルの低い部分の表示輝度を高くできるため、黒の階調表現を良好にすることができる。
【０００８】
逆γ値が大きいほど、入力信号レベルの高い部分での入力信号レベルに対する出力信号レベルの変化率が高くなるように入出力特性が設定されている。
【０００９】
図３は、入力信号（逆γ補正回路３の入力信号）の平均レベル（平均レベル算出回路４で算出された平均レベル）と逆γ値との関係の一例を示している。図３に示すように、入力信号の平均レベルが高いほど逆γ値は高くなる。逆γ補正回路３は、平均レベル算出回路４で算出された平均レベルに基づいて逆γ値を決定し、決定した逆γ値に応じた入出力特性（逆γ特性）を用いて、逆γ補正を行なう。
【００１０】
図４は、入力信号（逆γ補正回路３の入力信号）の平均レベルと表示された映像のコントラスト比との関係を示している。ここでは、プラズマディスプレイ５は、そのピーク輝度が５００ｃｄ／ｍ２　であり、黒の輝度が１ｃｄ／ｍ２　であり、コントラスト比５００：１の特性を有しているものとする。
【００１１】
プラズマディスプレイ５は、表示信号（逆γ補正を行なった後の信号）の平均レベルが大きくなると、消費電力がそれにほぼ比例して増加するため、表示信号の平均レベルがあるレベルを越えると消費電力を抑えるために、表示する輝度を下げて画面表示を行なっている。通常、表示信号の平均レベルで２０％程度以上になると、消費電力を抑えており、表示輝度を低下させることにより、コントラスト比が低くなる。
【００１２】
図４は、表示信号の平均レベルが２０％以下のときは表示輝度を表示信号レベルに比例させ、２０％を越えると消費電力を一定に抑えるために表示輝度を抑える制御を行なったときの、入力信号の平均信号レベルと表示画像のコントラスト比を逆γ値による変化で示したものである。これにより、入力信号の平均レベルが高い場合には、逆γ値を大きくする方がコントラスト比を高くできることになる。
【００１３】
【発明が解決しようとする課題】
ところで、プラズマディスプレイパネル（ＰＤＰ）のように、ダイナミックレンジが狭いディスプレイパネルに多画面表示を行なう場合において、各映像の平均レベルが大きく異なる場合には、コントラスト感や黒の階調表現が良好にならないという問題がある。特に、各映像の表示画面サイズが異なる場合には、小さい画面に表示される映像において、コントラスト感や黒の階調表現が良好にならない。
【００１４】
以下、この理由について説明する。
【００１５】
例えば、図５に示すように、表示面積の大きい画面１と、表示面積の小さい画面２とに、異なる映像を表示する場合において、画面１の映像の平均レベルが高く、画面２の映像の平均レベルが低いとする。このような場合には、合成画像の平均レベルは高くなる。
【００１６】
合成画像の平均レベルが高い場合には、図３に示すように、逆γ値として大きな値が設定される。逆γ値を大きな値に設定すると、図４の特性から、画面１の映像のように平均レベルが高い映像に対するコントラスト比を高くできる。しかしながら、逆γ値を大きくすると、図２の特性から、画面２の映像のように信号レベルの低い映像に対しては、表示輝度が低くなるため、階調が十分に表現できなくなる。したがって、面積の小さい画面２において、黒の階調表現が良好にできなくなる。
【００１７】
逆に、図６に示すように、画面１の映像の平均レベルが低く、画面２の映像の平均レベルが高いとする。このような場合には、合成画像の平均レベルは低くなる。合成画像の平均レベルが低い場合には、図３に示すように、逆γ値として小さな値が設定される。逆γ値を小さな値に設定すると、図２の特性から、画面１の映像のように信号レベルの低い映像に対する輝度を高くすることができる。しかしながら、逆γ値を小さくすると、図４の特性から、画面２の映像のように平均レベルの高い映像に対するコントラスト比が低くなる。したがって、面積の小さい画面２において、コントラスト比が低くなる。
【００１８】
この発明は、多画面表示を行なった場合に、各画面のコントラスト感および黒の階調表現を良好にできる多画面表示装置を提供することを目的とする。
【００１９】
【課題を解決するための手段】
この発明は、プラズマディスプレイに複数の入力映像を多画面表示する多画面表示装置において、各入力映像の平均レベルを別々に算出するための複数の平均レベル算出手段、各入力映像毎に、対応する平均レベル算出手段によって算出された平均レベルに基づいて、別々に逆γ補正を行なうための複数の逆γ補正手段、ならびに各逆γ補正手段によって得られた各映像を合成する合成手段を備えていることを特徴とする。
【００２０】
【発明の実施の形態】
以下、図面を参照して、この発明の実施の形態について説明する。
【００２１】
図７は、多画面表示装置の構成を示している。
【００２２】
複数の入力映像を１つのプラズマディスプレイ表示装置で多画面表示する場合、各入力映像の映像信号（Ａ／Ｄ変換後のＲＧＢ信号）は、それぞれ別々のフレームレート変換・解像度変換回路１１ａ、１１ｂ、…１１ｎに送られて、フレームレート変換および解像度変換が行なわれる。また、各入力映像の映像信号は、それぞれ別々の平均レベル算出回路１２ａ、１２ｂ、…１２ｎに送られて、その平均レベルが算出される。
【００２３】
各フレームレート変換・解像度変換回路１１ａ、１１ｂ、…１１ｎによって得られた映像信号は、それぞれ別々の逆γ補正回路１３ａ、１３ｂ、…１３ｎに送られる。各平均レベル算出回路１２ａ、１２ｂ、…１２ｎによって算出された平均レベルは、それぞれ対応する逆γ補正回路１３ａ、１３ｂ、…１３ｎに与えられる。
【００２４】
各逆γ補正回路１３ａ、１３ｂ、…１３ｎでは、各平均レベル算出回路１２ａ、１２ｂ、…１２ｎで算出された平均レベルに応じた逆γ特性を用いて、逆γ補正が行なわれる。各逆γ補正回路１３ａ、１３ｂ、…１３ｎによって逆γ補正が行なわれた映像は、画面合成回路１４に送られて合成される。画面合成回路１４によって得られた合成映像は、プラズマディスプレイ１５に送られて、表示される。
【００２５】
各逆γ補正回路１３ａ、１３ｂ、…１３ｎの入出力特性（逆γ特性）は、図２の縦軸の表示輝度を逆γ補正回路の出力信号レベルに置き換えたような特性を有している。また、各逆γ補正回路１３ａ、１３ｂ、…１３ｎは、対応する平均レベル算出回路１２ａ、１２ｂ、…１２ｎで算出された平均レベルと、図３に示す入力信号の平均レベルと逆γ値との関係とに基づいてγ値を決定し、決定した逆γ値に応じた入出力特性（逆γ特性）を用いて、逆γ補正を行なう。
【００２６】
上記実施の形態では、各入力映像毎にその平均レベルに基づいて逆γ補正を行なった後に、それらの映像を合成しているので、各映像のコントラスト感および黒の階調表現を良好にできるようになる。
【００２７】
【発明の効果】
この発明によれば、多画面表示を行なった場合に、各画面のコントラスト感および黒の階調表現を良好にできるようになる。
【図面の簡単な説明】
【図１】従来の多画面表示装置の構成を示すブロック図である。
【図２】入力信号のレベルと表示輝度の関係を示すグラフである。
【図３】入力信号の平均レベルと逆γ値との関係を示すグラフである。
【図４】入力信号の平均レベルと表示された映像のコントラスト比との関係を示すグラフである。
【図５】表示面積の大きい画面１の映像の平均レベルが高く、表示面積の小さい画面２の映像の平均レベルが低い場合の例を示す模式図である。
【図６】表示面積の大きい画面１の映像の平均レベルが低く、表示面積の小さい画面２の映像の平均レベルが高い場合の例を示す模式図である。
【図７】この発明の実施の形態である多画面表示装置の構成を示すブロック図である。
【符号の説明】
１１ａ、１１ｂ、…１１ｎ　フレームレート変換・解像度変換回路
１２ａ、１２ｂ、…１２ｎ　平均レベル算出回路
１３ａ、１３ｂ、…１３ｎ　逆γ補正回路
１４　画面合成回路
１５　プラズマディスプレイ
【図１】
2004061862.tif 000003
【図２】
2004061862.tif 000004
【図３】
2004061862.tif 000005
【図４】
2004061862.tif 000006
【図５】
2004061862.tif 000007
【図６】
2004061862.tif 000008
【図７】
2004061862.tif 000009